(57)【要約】【課題】手摺部材は側杆係脱部により一方の梯子枠体の左右の側杆に係合し、かつ、側杆当接部により一方の梯子枠体の踏板に係合し、更に、側杆当接部によりを一方の梯子枠体の左右の側杆に当接することにより脚立本体に取り付けることができ、このため、取付機構の構造を簡素化することができる。【解決手段】脚立本体１の上部に取付機構７により取り付けられる手摺部材６を備えてなり、取付機構として、手摺部材に一方の梯子枠体４の左右の側杆２に係脱可能な側杆係脱部８、一方の梯子枠体の踏板３に係脱可能な踏板係脱部９及び一方の梯子枠体の左右の側杆に当接可能な側杆当接部１０を設けてなる。【選択図】図１
2005351030.tif 000002
【特許請求の範囲】
【請求項１】
左右の側杆及び複数個の踏板からなる対向一対の梯子枠体を折畳自在に連結してなる脚立本体と、該脚立本体の上部に取付機構により取り付けられる手摺部材とを備えてなり、上記取付機構として、上記手摺部材に上記一方の梯子枠体の左右の側杆に係脱可能な側杆係脱部、該一方の梯子枠体の上記踏板に係脱可能な踏板係脱部及び該一方の梯子枠体の左右の側杆に当接可能な側杆当接部を設けてなることを特徴とする手摺付脚立。
【請求項２】
上記側杆係脱部として、上記手摺部材に一方の梯子枠体の左右の側杆に係脱可能な左右一対の係脱部材を設け、該左右一対の係脱部材を係脱固定可能な係脱固定機構を設けてなることを特徴とする請求項１記載の手摺付脚立。
【請求項３】
上記踏板係脱部として、上記手摺部材に上記踏板に上方から係脱可能な鉤状の踏板係脱部材を設けてなることを特徴とする請求項１又は２記載の手摺付脚立。
【請求項４】
上記係脱固定機構として、上記手摺部材に支持部を設け、該支持部に上記左右一対の係脱部材を締付ボルトにより係脱固定自在に設けてなることを特徴とする請求項１〜３のいずれか１項に記載の手摺付脚立。
【請求項５】
上記側杆はウエブ部及びウエブ部の両縁部に起立した対向一対のフランジ部からなる断面コ状に形成され、各係脱部材に該対向一対のフランジ部に係合可能な二個の係合溝部を形成してなることを特徴とする請求項２〜４のいずれか１項に記載の手摺付脚立。
【請求項６】
上記係脱部材に上記一方の梯子枠体の左右一対の側杆の各外面間に係合可能な一個の係合凹部を形成してなることを特徴とする請求項２〜５のいずれか１項に記載の手摺付脚立。
【発明の詳細な説明】
【技術分野】
【０００１】
本発明は例えば高所作業を安全に行うことのできる脚立、詳しくは、脚立本体に手摺部材を容易に着脱することができる脚立に関するものである。
【背景技術】
【０００２】
従来、この種の脚立として、脚立本体の上部に取付機構により手摺部材を取り付けてなる構造のものが知られている。
【０００３】
しかして、脚立本体の踏板に立って作業する際、手摺部材を持ちながら、又は、手摺部材に身体を当てながら作業をすることができ、作業をする付近に身体を支える壁面等がない場合にでも、安全に作業をすることができる。
【特許文献１】特開平９−３２８９８０号公報
【特許文献２】実開平９−３２８９８０号公報
【発明の開示】
【発明が解決しようとする課題】
【０００４】
しかしながら上記従来構造の場合、脚立本体の上部に手摺部材を取り付けるための取付機構が複雑なものとなっており、それだけ製作コストが高いことがあり、一般への普及の隘路となっているという不都合を有している。
【課題を解決するための手段】
【０００５】
本発明はこれらの不都合を解決することを目的とするもので、本発明のうちで、請求項１記載の発明は、左右の側杆及び複数個の踏板からなる対向一対の梯子枠体を折畳自在に連結してなる脚立本体と、該脚立本体の上部に取付機構により取り付けられる手摺部材とを備えてなり、上記取付機構として、上記手摺部材に上記一方の梯子枠体の左右の側杆に係脱可能な側杆係脱部、該一方の梯子枠体の上記踏板に係脱可能な踏板係脱部及び該一方の梯子枠体の左右の側杆に当接可能な側杆当接部を設けてなることを特徴とする手摺付脚立にある。
【０００６】
又、請求項２記載の発明は、上記側杆係脱部として、上記手摺部材に一方の梯子枠体の左右の側杆に係脱可能な左右一対の係脱部材を設け、該左右一対の係脱部材を係脱固定可能な係脱固定機構を設けてなることを特徴とするものであり、又、請求項３記載の発明は、上記踏板係脱部として、上記手摺部材に上記踏板に上方から係脱可能な鉤状の踏板係脱部材を設けてなることを特徴とするものである。
【０００７】
又、請求項４記載の発明は、上記係脱固定機構として、上記手摺部材に支持部を設け、該支持部に上記左右一対の係脱部材を締付ボルトにより係脱固定自在に設けてなることを特徴とするものであり、又、請求項５記載の発明は、上記側杆はウエブ部及びウエブ部の両縁部に起立した対向一対のフランジ部からなる断面コ状に形成され、各係脱部材に該対向一対のフランジ部に係合可能な二個の係合溝部を形成してなることを特徴とするものであり、又、請求項６記載の発明は、上記係脱部材に上記一方の梯子枠体の左右一対の側杆の各外面間に係合可能な一個の係合凹部を形成してなることを特徴とするものである。
【発明の効果】
【０００８】
本発明は上述の如く、請求項１記載の発明にあっては、上記手摺部材は側杆係脱部により一方の梯子枠体の左右の側杆に係合し、かつ、側杆当接部により一方の梯子枠体の踏板に係合し、更に、側杆当接部によりを一方の梯子枠体の左右の側杆に当接することにより脚立本体に取り付けることができ、このため、取付機構の構造を簡素化することができ、製作コストを低減することができ、かつ、脚立本体に手摺部材を確実に取り付けることができと共に容易に取り付けることができ、手摺部材の使用の利便性を高めることができ、また、不使用時には脚立本体から手摺部材を容易に取り外すことができ、それだけ、脚立作業の作業性を向上することができる。
【０００９】
又、請求項２記載の発明にあっては、上記側杆係脱部として、上記手摺部材に一方の梯子枠体の左右の側杆に係脱可能な左右一対の係脱部材を設け、左右一対の係脱部材を係脱固定可能な係脱固定機構を設けてなるから、手摺部材と一方の梯子枠体の左右の側杆とを容易に係脱固定することができ、又、請求項３記載の発明にあっては、上記踏板係脱部として、上記手摺部材に上記踏板上方から係脱可能な鉤状の踏板係脱部材を設けてなるから、手摺部材を踏板に容易に取り付けることができ、一層作業性を向上することができる。
【００１０】
又、請求項４記載の発明にあっては、上記係脱固定機構として、上記手摺部材に支持部を設け、支持部に上記左右一対の係脱部材を締付ボルトにより係脱固定自在に設けてなるから、構造を簡素化することができ、又、請求項５記載の発明にあっては、上記側杆はウエブ部及びウエブ部の両縁部に起立した対向一対のフランジ部からなる断面コ状に形成され、各係脱部材に対向一対のフランジ部に係合可能な二個の係合溝部を形成してなるから、側杆と係脱部材とを確実に係止固定することができ、手摺部材を脚立本体に強固に取り付けることができ、又、請求項６記載の発明にあっては、上記係脱部材に上記一方の梯子枠体の左右一対の側杆の各外面間に係合可能な一個の係合凹部を形成してなるから、側杆と係脱部材とを容易に係止固定することができ、手摺部材を脚立本体に強固に取り付けることができる。
【発明を実施するための最良の形態】
【００１１】
図１乃至図９は本発明の実施の形態例を示し、図１乃至図８は第一形態例、図９第二形態例である。
【００１２】
図１乃至図８の本発明の実施の第一形態例において、１は脚立本体であって、左右の側杆２・２及び複数個の踏板３・・・からなる対向一対の梯子枠体４・４を連結軸５により枢着し、一方の側杆２に掛外アーム４ａの一方端部を支点ピン２ｃにより枢着すると共に側杆２４ａの他方端部に鉤穴４ｂを形成し、側杆２に鉤穴４ｂが係脱可能な係脱ピン２ｄを突設し、一対の梯子枠体４・４を折畳自在に連結して構成されている。
【００１３】
６は手摺部材であって、この場合、外枠杆６ａ及び横杆６ｂからなる逆Ｕ枠状に形成され、脚立本体１の上部に取付機構７により取り付けられる。
【００１４】
この場合、上記取付機構７は、上記手摺部材６に上記一方の梯子枠体４の左右の側杆２・２に係脱可能な側杆係脱部８、一方の梯子枠体４の上記踏板３に係脱可能な踏板係脱部９及び一方の梯子枠体４の左右の側杆３に当接可能な側杆当接部１０を設けて構成されている。
【００１５】
又、この場合、上記側杆係脱部８として、上記手摺部材６に一方の梯子枠体４の左右の側杆２に係脱可能な左右一対の係脱部材８ａ・８ａを設け、左右一対の係脱部材８ａ・８ａを係脱固定可能な係脱固定機構８ｂ・８ｂを設けてなり、かつ、この場合、この係脱固定機構８ｂ・８ｂとして、上記手摺部材６に支持部６ａを溶接固定し、支持部６ａに長穴６ｂ・６ｂを形成すると共に上記左右一対の係脱部材８ａ・８ａに長穴８ｃ・８ｃを形成し、長穴６ｂ・６ｂと長穴８ｃ・８ｃに締付ボルト８ｄ・８ｄを挿通し、締付ボルト８ｄ・８ｄに締付ナット８ｅ・８ｅを螺着し、締付ボルト８ｄ・８ｄの弛緩緊締回動により係脱部材８ａ・８ａを旋回固定自在に設けて構成している。
【００１６】
又、この場合、上記側杆２・２はウエブ部２ａ及びウエブ部２ａの両縁部に起立した対向一対のフランジ部２ｂ・２ｂからなる断面コ状に形成され、各係脱部材８ａ・８ａに対向一対のフランジ部２ｂ・２ｂに係合可能な二個の係合溝部８ｆ・８ｆを形成して構成されている。
【００１７】
又、この場合、上記踏板係脱部９として、上記手摺部材６に上記踏板３に上方から係脱可能な鉤状の踏板係脱部材９ａを設けて構成され、又、この場合、側杆当接部１０として、上記手摺部材６の下端部に一方の梯子枠体４の左右の側杆２の外面に当接可能な側杆当接部材１０ａを固定して構成されている。
【００１８】
この実施の第一形態例は上記構成であるから、脚立本体１の上部に手摺部材６を取付機構７により取り付けるに際し、側杆係脱部８により上記手摺部材６を上記一方の梯子枠体４の左右の側杆２・２に係合し、側杆当接部１０により手摺部材６を一方の梯子枠体４の上記踏板３に係合し、側杆当接部１０により手摺部材６を一方の梯子枠体４の左右の側杆２・２に当接することになる。
【００１９】
従って、上記手摺部材６は、側杆係脱部８により一方の梯子枠体４の左右の側杆２・２に係合し、かつ、側杆当接部１０により一方の梯子枠体４の踏板３に係合し、更に、側杆当接部１０によりを一方の梯子枠体４の左右の側杆２・２に当接することにより脚立本体１に取り付けることができ、、このため、取付機構７の構造を簡素化することができ、製作コストを低減することができ、かつ、脚立本体１に手摺部材６を確実に取り付けることができと共に容易に取り付けることができ、手摺部材６の使用の利便性を高めることができ、また、不使用時には脚立本体１から手摺部材６を容易に取り外すことができ、それだけ、脚立作業の作業性を向上することができる。
【００２０】
又、この場合、上記側杆係脱部８として、上記手摺部材６に一方の梯子枠体４の左右の側杆２・２に係脱可能な左右一対の係脱部材８ａ・８ａを設け、左右一対の係脱部材８ａ・８ａを係脱固定可能な係脱固定機構８ｂ・８ｂを設けてなるから、手摺部材６と一方の梯子枠体４の左右の側杆２・２とを容易に係脱固定することができ、又、この場合、上記踏板係脱部９として、上記手摺部材６に上記踏板２に上方から係脱可能な鉤状の踏板係脱部材９ａを設けてなるから、手摺部材６を踏板２に容易に係脱することができ、一層作業性を向上することができる。
【００２１】
又、この場合、上記係脱固定機構８ｂ・８ｂとして、上記手摺部材６に支持部６ａを設け、支持部６ａに上記左右一対の係脱部材８ａ・８ａを締付ボルト８ｄにより係脱固定自在に設けてなるから、構造を簡素化することができ、又、この場合、上記側杆２はウエブ部２ａ及びウエブ部２ａの両縁部に起立した対向一対のフランジ部２ｂ・２ｂからなる断面コ状に形成され、各係脱部材８ａ・８ａに対向一対のフランジ部２ｂ・２ｂに係合可能な二個の係合溝部８ｆ・８ｆを形成してなるから、側杆２と係脱部材８ａとを確実に係止固定することができ、手摺部材６を脚立本体１に強固に取り付けることができる。
【００２２】
図９の第二形態例は別例構造を示し、この場合、上記係脱部材８ａ・８ａに上記一方の梯子枠体４の左右一対の側杆２の各外面間に係合可能な一個の係合凹部８ｇ・８ｇを形成して構成している。
【００２３】
この第二形態例にあっても、上記第一形態例と同様な作用効果を得ることができると共に側杆２と係脱部材８ａとを容易に係止固定することができ、手摺部材６を脚立本体１に強固に取り付けることができる。
【００２４】
尚、本発明は上記実施の形態例に限られるものではなく、脚立本体１の構造や、取付機構７、側杆係脱部８、踏板係脱部９、側杆当接部１０の構造等は適宜変更して設計されるものである。
【００２５】
以上、所期の目的を充分達成することができる。
【図面の簡単な説明】
【００２６】
【図１】本発明の実施の第一形態例の全体斜視図である。
【図２】本発明の実施の第一形態例の部分分離斜視図である。
【図３】本発明の実施の第一形態例の全体側面図である。
【図４】本発明の実施の第一形態例の全体側面図である。
【図５】本発明の実施の第一形態例の部分断面図である。
【図６】本発明の実施の第一形態例の部分平断面図である。
【図７】本発明の実施の第一形態例の部分平断面図である。
【図８】本発明の実施の第一形態例の使用状態図である。
【図９】本発明の実施の第二形態例の部分平断面図である。
【符号の説明】
【００２７】
１    脚立本体
２    側杆
２ａ    ウエブ部
２ｂ    フランジ部
３    踏板
４    梯子枠体
６    手摺部材
６ａ    支持部
７    取付機構
８    側杆係脱部
８ａ    係脱部材
８ｂ    係脱固定機構
８ｄ    締付ボルト
８ｆ    係合溝部
８ｇ    係合凹部
９    踏板係脱部
９ａ    踏板係脱部材
１０    側杆当接部
１０ａ    側杆当接部材
【図１】
2005351030.tif 000003
【図２】
2005351030.tif 000004
【図３】
2005351030.tif 000005
【図４】
2005351030.tif 000006
【図５】
2005351030.tif 000007
【図６】
2005351030.tif 000008
【図７】
2005351030.tif 000009
【図８】
2005351030.tif 000010
【図９】
2005351030.tif 000011